(57)【特許請求の範囲】
【請求項１】
第１及び第２の位置を有し、無端状に形成されて循環駆動するとともに、記録材を担持搬送する記録材搬送手段と、
前記記録材搬送手段の第１の位置から第２の位置の間に対向して設けられ、前記記録材搬送手段によって前記第１の位置から第２の位置に向けて搬送される記録材に画像を形成する画像形成手段と、
所定位置に配置された記録材を、前記記録材搬送手段の第１の位置の上流に給送する第１の給送手段と、
前記記録材搬送手段の第２の位置の下流から搬出された記録材を、反転させる反転手段と、
前記反転手段によって反転された記録材を、前記記録材搬送手段の循環方向の第２の位置の下流に給送する第２の給送手段とを備える画像形成装置。
【請求項２】
前記記録材搬送手段の付着汚染物や残留電荷を除去するためのクリーニング手段を更に備える請求項１記載の画像形成装置。
【請求項３】
前記第２の位置と前記反転手段との間に、記録材に形成される画像を定着させるための定着手段が設けられ、
一面に画像が形成されて前記記録材搬送手段の第２の位置の下流から搬出された記録材を、その画像を定着させずに、前記反転手段により反転させるよう構成されてなる請求項１又は２記載の画像形成装置。
【請求項４】
前記第２の位置と、前記反転手段との間に、記録材に形成される画像を定着させるための定着手段が設けられ、
一面に画像が形成されて前記記録材搬送手段の第２の位置の下流から搬出された記録材を、その画像を前記定着手段により定着させて、前記反転手段により反転させるよう構成されてなる請求項１又２記載の画像形成装置。
【請求項５】
前記第２の給送手段は、前記記録材搬送手段に所定のタイミングで記録材を給送するタイミングローラを有する請求項１ないし４のいずれかに記載の画像形成装置。
【発明の詳細な説明】
【０００１】
【発明の属する技術分野】
この発明は、記録材の表裏両面に画像形成を行うことができる電子写真方式、静電記録方式等の画像形成装置に関し、例えば転写ベルト等の無端状の記録材搬送手段を有するタンデム式のカラー複写機やカラープリンタ等に好適に採用できる画像形成装置に関する。
【０００２】
【従来の技術】
図４に示すように、タンデム式のカラー複写機等においては、給紙カセット１０１ａ〜１０１ｄ内から給紙部１０１によって給送された記録材を、タイミングローラ１６１によって無端環状の転写ベルト（記録材搬送手段）１０５に給送し、その記録材を転写ベルト１０５により担持して搬送させつつ、記録材に画像形成手段１０６によって画像を形成し、そしてその記録材を転写ベルト１０５から搬出させてソータ等の記録材排出部１０３に排出するようにしている。
【０００３】
このような複写機においては、記録材の両面に画像を形成できるように、記録材を反転するための反転手段１０９が設けられるものがあり、両面コピーを行う場合には、一面に画像が形成されて転写ベルト１０５から搬出された記録材を、上記反転手段１０９によって反転させて、循環経路１１０を介して給紙側に戻し、再度タイミングローラ１６１により転写ベルト１０５に給送し、その記録材の裏面に画像を形成するようにしている。
【０００４】
【発明が解決しようとする課題】
しかしながら、上記従来のカラー複写機においては、両面コピーを行うにあたって、一面に画像を形成して転写ベルト１０５から搬出された記録材を、循環経路１１０によって、給紙側に戻すようにしているため、別途、循環経路１１０を装備させる必要があり、その分、装置の大型化及び構造の複雑化を来たし、コストの増大を招くという問題があった。
【０００５】
この発明は、上記従来技術の問題を解消し、記録材の両面に確実に画像を形成できることはもちろん、装置の小型化及び構造の簡素化を図ることができ、コストの削減を図ることができる画像形成装置を提供することを目的とする。
【０００６】
【課題を解決するための手段】
上記目的を達成するため、本発明は、第１及び第２の位置を有し、無端状に形成されて循環駆動するとともに、記録材を担持搬送する記録材搬送手段と、前記記録材搬送手段の第１の位置から第２の位置の間に対向して設けられ、前記記録材搬送手段によって前記第１の位置から第２の位置に向けて搬送される記録材に画像を形成する画像形成手段と、所定位置に配置された記録材を、前記記録材搬送手段の第１の位置の上流に給送する第１の給送手段と、前記記録材搬送手段の第２の位置の下流から搬出された記録材を、反転させる反転手段と、前記反転手段によって反転された記録材を、前記記録材搬送手段の循環方向の第２の位置の下流に給送する第２の給送手段とを備える画像形成装置を要旨としている。
【０００７】
この発明の画像形成装置においては、一面に画像を形成した記録材を、無端状の記録材搬送手段における画像形成領域下流側端部の第２の位置の下流に給送し、記録材搬送手段によって画像形成領域に搬送して他面に画像を形成することができる。従って、一面に画像を形成した記録材を、記録材搬送手段における画像形成領域上流側端部の第１の位置に戻すための循環経路等を、別途設ける必要がなく、装置構成部品の一部を省略することができる。
【０００８】
なお、記録材搬送手段によって画像形成領域に返送された記録材は、画像形成手段によって他面側に画像が形成されるので、記録材両面に確実に画像を形成することができる。
【０００９】
本発明においては、前記記録材搬送手段の付着汚染物や残留電荷を除去するためのクリーニング手段を更に備える構成を採用するのが好ましい。
【００１０】
すなわちこの構成を採用する場合には、トナーやオイル等の汚染物や残留電荷が、記録材搬送手段から除去されるので、汚染物や残留電荷による悪影響が回避されて、高い品質の画像を形成することができる。
【００１１】
更に本発明においては、前記第２の位置と前記反転手段との間に、記録材に形成される画像を定着させるための定着手段が設けられ、一面に画像が形成されて前記記録材搬送手段の第２の位置の下流から搬出された記録材を、その画像を定着させずに、前記反転手段により反転させるようにした構成、又は前記第２の位置と、前記反転手段との間に、記録材に形成される画像を定着させるための定着手段が設けられ、一面に画像が形成されて前記記録材搬送手段の第２の位置の下流から搬出された記録材を、その画像を前記定着手段により定着させて、前記反転手段により反転させるようにした構成を好適に採用することができる。
【００１２】
このように定着手段を、装置構造に合わせて、反転手段の下流側や上流側に設けることができるので、設計の柔軟性を確保しつつ、定着手段を確実に装備させることができる。更に定着手段によって、記録材に形成された画像を定着させることができ、安定状態の画像を形成することができる。
【００１３】
また本発明において、前記第２の給送手段は、前記記録材搬送手段に所定のタイミングで記録材を給送するタイミングローラを有する構成を採用するのが望ましい。
【００１４】
すなわちこの構成を採用する場合には、例えば記録材を記録材搬送手段の継ぎ目にかからないように載置することが可能となり、継ぎ目による悪影響を回避することができる。
【００１５】
【発明の実施の形態】
図１はこの発明の実施形態である画像形成装置が適用された電子写真方式のフルカラー複写機における画像形成主要部を示す概略断面図である。
【００１６】
同図に示すように、この画像形成装置は、装置内に４つの画像形成手段Ｐｃ、Ｐｍ、Ｐｙ、Ｐｋを有し、その下側に給紙部１、左側に定着器（定着手段）２が配置されている。更に定着器２の左側にはソータ３が配置されている。このソータ３はステープル機能やシフトトレー機能を有している。
【００１７】
定着器２とソータ３の間には、用紙を反転排出するための用紙反転手段９が設けられている。この用紙反転手段９は、用紙を反転させる他に、用紙をソータ３へ排出するか、用紙を裏面コピーのために、後述する転写ベルト５の復路領域５Ｒに導くかを切り替える手段を兼用している。
【００１８】
給紙部１から定着器２に至る搬送経路の下側には、用紙を担持、搬送する無端環環状の転写ベルト５（記録材搬送手段）が複数のローラ（図示省略）間に架張されている。
【００１９】
転写ベルト５は、半導電（又は導電体）の特性を持った樹脂からなるフィルムシートの両端部を、融着等の手段により無端状につなぎ合わせたものであり、駆動ローラ（図示省略）により矢印方向に一定速度で循環駆動される。
【００２０】
この転写ベルト５は、上側（画像形成手段側）が往路領域５Ｇとして構成されるとともに、下側（給紙部側）が復路領域５Ｒとして構成されており、給紙部１を通じて、往路領域５Ｇの上流位置に給送される用紙を担持し、各画像形成手段Ｐｃ、Ｐｍ、Ｐｙ、Ｐｋへと順次搬送するものである。なお、本実施形態においては、転写ベルト５の往路領域５Ｇにおける循環方向に対し上流側端部が第１の位置として構成されるとともに、下流側端部が第２の位置として構成される。更に転写ベルト５の第１の位置と第２の位置との間が、画像形成領域として構成される。
【００２１】
転写ベルト５における往路領域５Ｇのベルト回転方向に対し上流側の端部には、第１の吸着手段（第１の担持手段）５１が設けられるとともに、復路領域５Ｒの上流側端部には、第２の吸着手段（第２の担持手段）５２が設けられており、これらの吸着手段５１、５２により用紙を転写ベルト５上に静電的に確実に吸着担持できるように構成されている。
【００２２】
転写ベルト５の往路領域５Ｇにおける画像形成手段Ｐｋの下流側には、除電帯電器５３が設けられており、この除電帯電器５３により転写ベルト５に吸着された用紙を分離させることができるように構成されている。
【００２３】
また転写ベルト５における往路領域５Ｇから復路領域５Ｒへの折り返し部には、ベルト５に付着したトナーを除去するためのクリーナー手段５４、ベルト５に付着する定着オイルを回収除去するためのオイル回収手段５５の他、残留電荷を除去するための除電手段（図示省略）等が設けられ、これらの手段によってクリーニング手段が構成されている。
【００２４】
各画像形成手段Ｐｃ、Ｐｍ、Ｐｙ、Ｐｋは実質的に同一の構成を有し、図示矢印の方向に回転駆動される像担持体としての感光体ドラム６ｃ、６ｍ、６ｙ、６ｋが配置されている。また図示は省略するが、感光体ドラムの周辺には、各感光体ドラムを一様に帯電させる帯電チャージャ、各感光体ドラム上に形成された静電潜像を現像する現像器、現像されたトナー像を用紙へ転写する転写チャージャ、感光体ドラムに残存するトナーを除去するクリーナーが、各感光体ドラムの回転方向に順次配設されている。なお、画像形成手段Ｐｃの現像器にはシアン色のトナーが、画像形成手段Ｐｍの現像器にはマゼンタ色のトナーが、画像形成手段Ｐｙの現像器にはイエロー色のトナーが、画像形成手段Ｐｋの現像器には黒色のトナーがそれぞれ収納されている。
【００２５】
感光体ドラム６ｃ、６ｍ、６ｙ、６ｋの上方には、像露光装置７ｃ、７ｍ、７ｙ、７ｋが設けられている。これらの像露光装置７ｃ、７ｍ、７ｙ、７ｋは、半導体レーザー、ポリゴンミラー、ｆθレンズ等からなり、電気デジタル画像信号の入力を受けてこの信号に対応して変調されたレーザービームを、帯電チャージャ及び現像器の間で感光体ドラム６ｃ、６ｍ、６ｙ、６ｋの母線方向に走査してドラム面を露光し、各感光体ドラム上に静電潜像を形成するようになっている。
【００２６】
なお、画像形成手段Ｐｃの像露光装置７ｃにはカラー画像のシアン成分に対応する画像信号が、画像形成手段Ｐｍの像露光装置７ｍにはカラー画像のマゼンタ成分に対応する画像信号が、画像形成手段Ｐｙの像露光装置７ｙにはカラー画像のイエロー成分に対応する画像信号が、画像形成手段Ｐｋの像露光装置７ｋにはカラー画像の黒成分に対応する画像信号がそれぞれ入力される。
【００２７】
給紙部１は、サイズの異なる用紙を収納する給紙カセットや手差しトレーがセットされた複数個の給紙口１ａ〜１ｄと、各給紙口から用紙を１枚ずつ給紙するための給紙ローラ１１ａ〜１１ｄとを有している。
【００２８】
また給紙部１と転写ベルト５との間には、給紙部１により給紙された用紙を所定のタイミングで転写ベルト５上における往路領域５Ｇの上流位置に給送するための第１のタイミングローラ６１が設けられるとともに、用紙反転手段９と転写ベルト５との間には、用紙反転手段９により反転された用紙を所定のタイミングで転写ベルト５上における復路領域５Ｒの上流位置に給送するための第２のタイミングローラ６２が設けられている。
【００２９】
なお、本実施形態においては、給紙部１及び第１のタイミングローラ６１等により第１の給送手段が構成されるとともに、用紙反転手段９及び第２のタイミングローラ６２等により第２の給送手段が構成されている。
【００３０】
図２は図１のフルカラー複写機の操作パネル２００の一部を示す平面図である。同図に示すように、この複写機は、操作パネル２００により各種コピーモードの設定やコピー動作の開始を行ったり、表示によりコピーモード等の設定状態、装置状態を知らせることができる。
【００３１】
すなわち、枚数設置部２０１はコピー枚数を設定し、あるいは設定されたコピー枚数をクリアするためのキー群である。
【００３２】
プリントキー２０２は、コピー動作を開始するキーであり、コピー中断キー２０３は、動作中のコピー動作を中断するためのキーであり、濃度設定キー２０４は、コピーされる画像の濃度を調整するキーであり、倍率設定キー２０５は、コピーされる画像の変倍率を設定するキーであり、カラーモード選択キー２０６は、コピーされる画像の色をフルカラーで印字するか黒色一色で印字するかを設定するキーである。
【００３３】
また、両面キー２０７は、コピーされる画像を用紙の片面のみに印字するか両面に印字するかを設定するキーであり、カセット選択キー２０８は、１段目から４段目の給紙カセットの中でどのカセットの用紙をコピー動作に用いるかを選択するキーである。
【００３４】
枚数表示部２１０は、設定された枚数、又はコピー動作中は残コピー枚数を表示する表示部であり、倍率表示部２１１は、設定された変倍率を表示する表示部であり、液晶表示部２１２は、枚数変倍率以外の、設定されている各種コピーモードや装置の状態等の多くの情報を表示する多目的表示部である。
【００３５】
図３は図１及び図２に示したフルカラー複写機の全体の制御系を示すブロック図である。
【００３６】
このフルカラー複写機は、図１や図２で説明した画像形成主要部やパネル部分に加えて、複写機としての機能として原稿の画像情報を読み込むイメージリーダー（ＩＲ）や、複数の原稿を１枚ずつ順次イメージリーダーの画像読み取り部へ給紙搬送する自動原稿送り装置（ＡＤＦ）等を有しており、これらの各駆動部が図３に示す制御手段により制御されて、後述するコピー動作が行われる。
【００３７】
図３の制御手段において、システムコントローラー３０１は、この画像形成装置全体を統括制御する制御部である。
【００３８】
ＡＤＦ制御部３０２は、イメージリーダーの画像読み取り部に原稿を１枚ずつ給紙搬送し、画像読み取りが完了すれば、その原稿の原稿排出部への排出を行うように、原稿送り装置を制御する制御部である。
【００３９】
ＩＲ制御部３０３は、原稿の画像を読み込むためのスキャナーの走査速度制御、位置制御を行う制御部である。
【００４０】
画像処理制御部３０４は、コピーシーケンスやコピーモードに応じてマルチメモリ画像制御部３１２の動作指示等を行う制御部である。具体的には、スキャナー画像処理部３１１で処理された画像信号を原稿のページ単位で記録する制御や、コピーシーケンス等に応じた順序で、記憶させたページ単位の原稿の画像信号を選択させ、その階調処理部３１３に画像信号を送る制御、コピーモード等に応じて画像方向を９０度あるいは１８０度回転する制御を行う。
【００４１】
パネル制御部３０５は、図２で説明したように操作パネル２００のキー入力処理や表示を行う制御部である。
【００４２】
本体制御部３０６は、図１で説明した給紙部１の制御、定着器２の制御、転写ベルト５の制御、感光体ドラム６ｃ、６ｍ、６ｙ、６ｋとその周辺機器の制御、用紙反転手段９の制御、第１及び第２の吸着手段５１、５２の制御、第１及び第２のタイミングローラ６１、６２の制御等を行う制御部である。
【００４３】
ソータ制御部３０７は、ソータ３内での用紙搬送排出制御やビンの移動、シフトトレーの位置制御、ステープル動作の制御を行う制御部である。
【００４４】
画像入力部３１０は、原稿の画像を読み込むＣＣＤ等からなるセンサ部と、その信号をデジタル化する回路部から構成されている。この実施形態では、ＣＭＹＫの各成分を同時並行処理する回路構成となっている。
【００４５】
スキャナー画像処理部３１１は、デジタル化された画像信号をコピーモード等に応じて変倍処理や画像シフト処理やイレース処理を行う回路から構成される。
【００４６】
マルチメモリ画像処理部３１２は、画像情報を記憶するメモリや、画像の回転あるいは画像の圧縮伸長を行う等の回路から構成される。
【００４７】
階調処理部３１３は、回路構成に応じた階調データへの変換（８階調から３階調変換等）を行う等の回路から構成される。
【００４８】
フレームメモリ３１４は、両面コピー時に複数ページの画像信号を一時的に記憶し、必要なタイミングで必要なページの画像信号を出力する回路から構成されている。
【００４９】
レジスト補正部３１５は、カラー画像のＣＭＹＫ各成分に対応する画像信号を、用紙が画像形成手段Ｐｃ、Ｐｍ、Ｐｙ、Ｐｋの下部を順次に通過していくタイミングのずれに相当する時間分だけ遅らせる回路から構成されている。この回路により、ＣＭＹＫ各成分の画像信号を、画像入力部３１０から階調処理部３１３又はフレームメモリ３１４までの間は同時並行処理することができる。
【００５０】
像露光装置３１６は、図１の符号７ｃ、７ｍ、７ｙ、７ｋに対応するものであり、ＣＭＹＫ各成分ごとに、対応する画像信号に応じて感光体６ｃ、６ｍ、６ｙ、６ｋ上に静電潜像を形成する回路から構成される。
【００５１】
次にこの複写機におけるコピー動作について説明する。
【００５２】
まず画像読み取り部において、イメーリーダーによって読み取られた原稿の画像情報が、デジタル化されて、その電気デジタル画像信号が、ＣＭＹＫ各成分ごとに、像露光装置７ｃ、７ｍ、７ｙ、７ｋに入力され、その信号に対応して変調されたレーザービームが感光体ドラム６ｃ、６ｍ、６ｙ、６ｋに照射されてドラム面が露光され、各感光体ドラム６ｃ、６ｍ、６ｙ、６ｋ上にＣＭＹＫ各成分ごとの静電潜像が形成される。更に現像器によって各ドラム６ｃ、６ｍ、６ｙ、６ｋの静電潜像が現像されて、ＣＭＹＫ各成分ごとのトナー像が形成される。
【００５３】
その一方、給紙部１において、所定の給紙カセット等から用紙（記録材）が、第１のタイミングローラ６１まで搬送され、その用紙が、第１のタイミングローラ６１によって、各感光体ドラム６ｃ、６ｍ、６ｙ、６ｋのトナー像に合致するタイミングで、転写ベルト５上における往路領域５Ｇに給送されて、第１の吸着手段５１により転写ベルト５上に静電的に吸着担持される。そして用紙は、転写ベルト５の移動により、画像形成手段Ｐｃ、Ｐｍ、Ｐｙ、Ｐｋの各感光体ドラム６ｃ、６ｍ、６ｙ、６ｋの下部を順次に通過して定着器２の方向へ搬送されるとともに、その搬送中に、各画像形成手段の転写チャージャーにより、ＣＭＹＫ各成分ごとのトナー像が用紙上に順次に重ねて転写され、カラー画像が合成される。
【００５４】
こうして画像形成手段Ｐｋを通過した用紙は、除電帯電器５３により除電されて、転写ベルト５から分離された後、定着器２によって合成画像が定着される。
【００５５】
そして、片面コピー時には、定着器２を通過した用紙は、用紙反転手段９によってソータ３へと排出される。
【００５６】
また、両面コピー時には、定着器２を通過した用紙は、ソータ３へ排出されることなく、用紙反転手段９によって反転された後、第２のタイミングローラ６２へと送られる。なお、画像形成部においては、用紙裏面に形成すべき画像に対応して、各感光体ドラム６ｃ、６ｍ、６ｙ、６ｋにトナー像が形成される。
【００５７】
第２のタイミングローラ６２へと搬送された用紙は、第２のタイミングローラ６２によって、各感光体ドラム６ｃ、６ｍ、６ｙ、６ｋのトナー像に合致するタイミングで、転写ベルト５上における復路領域５Ｒに給送されて、その用紙が第２の吸着手段５２により転写ベルト上に静電的に吸着される。そして用紙は、転写ベルト５の移動に伴って、復路領域５Ｒから往路領域５Ｇに導かれ、更に各感光体ドラム６ｃ、６ｍ、６ｙ、６ｋを順次に通過して、裏面側にカラー画像が上記と同様に合成されて、定着器２によって定着される。
【００５８】
こうして両面に画像が形成された用紙は、用紙反転手段９によってソータ３へと排出される。
【００５９】
以上説明したように、本実施形態の複写機においては、両面コピーを行うにあたって、反転させた用紙を、転写ベルト５における下側の復路領域５Ｒに給送して、転写ベルト５によって、用紙を画像形成領域に返送ようにしているため、反転させた用紙を転写ベルト５の画像形成領域に戻すための循環経路を、別途設ける必要がなく、その分、構造の簡素化及び装置の小型化を図ることができるとともに、コストの削減を図ることができる。
【００６０】
更に本発明においては、転写ベルト５における往路領域５Ｇから復路領域５Ｒへの折り返し部に、クリーナー手段５４、オイル回収手段５５、除電手段（図示省略）等からなるクリーニング手段を設けているため、トナーやオイル等の汚染物や残留電荷が転写ベルト５から確実に除去されて、汚染物等による悪影響を回避でき、高い品質の画像を形成することができる。
【００６１】
また、上記実施形態において、転写ベルトの継ぎ目は、厚みが他の部分と異なり、その継ぎ目に用紙がかかるように転写ベルトに給送されると、感光体ドラムから用紙への確実な転写に対して悪影響を及ぼす恐れがある。そこで、本発明においては、用紙を第１及び第２のタイミングローラ６１、６２により、継ぎ目を避けるようなタイミングで、あるいは継ぎ目による悪影響を避けるタイミングで転写ベルト５の往路領域５Ｇ及び復路領域５Ｒに給送することも可能である。
【００６２】
なお、上記実施形態においては、転写ベルト５と用紙反転手段９の間に定着器２を設けて、片面コピーを行った用紙を定着器２に通過させて、画像を定着させた後、両面コピーのために、用紙反転手段９により用紙を反転させて転写ベルト復路領域５Ｒに給送するように構成しているが、本発明においては、用紙反転手段９とソータ３との間に定着器を設けて、片面コピーを行った用紙を定着器に通過させずに、両面コピーのために、用紙反転手段９により用紙を反転させて転写ベルト５の復路領域５Ｒに送給するように構成しても良い。この場合には、一面の画像を定着させないまま、用紙を転写ベルト５によって返送することとなり、画像への悪影響が懸念されるが、例えば転写ベルトとして、サクションベルトを採用することにより、画像への悪影響を回避することができる。
【００６３】
更にこのように定着器２を、装置構造に合わせて、反転手段９の上流側及び下流側のいずれの位置にも配置することができるので、設計の柔軟性を十分に確保することができる。
【００６４】
また、本発明においては、第２のタイミングローラを必ずしも設ける必要はなく、反転手段に設けられた反転ローラにより、タイミングをとって、用紙を転写ベルトの復路領域に給送するように構成しても良い。
【００６５】
また本発明は、上記以外の電子写真方式、静電記録方式等の種々の構成の画像形成装置に等しく適用できる。
【００６６】
【発明の効果】
以上のように、この発明の画像形成装置によれば、一面に画像を形成した記録材を、無端状の記録材搬送手段における画像形成領域下流側の第２の位置の下流に給送して、記録材搬送手段によって、画像形成領域に搬送して他面に画像を形成することができるので、一面に画像を形成した記録材を記録材搬送手段の画像形成領域に戻すための循環経路を別途設ける必要がなく、その分、構造の簡素化及び装置の小型化を図ることができるとともに、コストの削減を図ることができる。また記録材搬送手段によって画像形成領域に再送された記録材は、他面側に画像形成手段によって画像が形成されるので、記録材両面に確実に画像を形成することができるという効果がある。
【００６７】
本発明において、記録材搬送手段の付着汚染物や電荷を除去するためのクリーニング手段を備える場合には、トナーやオイル等の汚染物や残留電荷が、記録材搬送手段から除去されるので、汚染物や残留電荷による悪影響が回避されて、高い品質の画像を形成することができるという利点がある。
【００６８】
また本発明においては、定着手段を、装置構造に合わせて、反転手段の下流側又は上流側に設けることができるので、設計の柔軟性を確保しつつ、定着手段を確実に装備させることができる上更に、定着手段によって、記録材に形成された画像を定着させることができ、安定状態の画像を形成することができる。
【００６９】
更に本発明において、第２の給送手段にタイミングローラを設ける場合には、記録材を記録材搬送手段の継ぎ目にかからないように載置することも可能となり、継ぎ目による悪影響を回避することができ、より一層高品質の画像を形成することができるという利点がある。
【図面の簡単な説明】
【図１】この発明の実施形態である画像形成装置が適用されたフルカラー複写機における画像形成主要部を示す概略断面図である。
【図２】実施形態の複写機における操作パネルの一部を示す平面図である。
【図３】実施形態の複写機における全体の制御系を示すブロック図である。
【図４】従来のフルカラー複写機における画像形成主要部を示す概略断面図である。
【符号の説明】
１…給紙部
５…転写ベルト（記録材搬送手段）
５Ｇ…往路領域（画像形成領域）
９…反転手段
６１、６２…タイミングローラ
Ｐｃ、Ｐｍ、Ｐｙ、Ｐｋ…画像形成手段
【図１】
0003769973.tif 000002
【図２】
0003769973.tif 000003
【図３】
0003769973.tif 000004
【図４】
0003769973.tif 000005